(57)【要約】【課題】エアバッグを脚配設溝に取り付けやすく、脚配設溝に利用者の脹ら脛を配設したときに、脹ら脛に固定手段が当たることのない脚マッサージ装置を提供すること。【解決手段】脚マッサージ装置は、左右の脚を配設する脚配設溝９，９が並設された足載せ台本体６と、脚配設溝９の対向する内側面７ａ，８ａに沿って配設されたエアバッグ１３，１４と、エアバッグ１３，１４の取付ヒンジ部１３ａ，１４ａを脚配設溝９の底面１０に固定する固定ボルト１５，１６を備えている。しかも、脚配設溝９の少なくとも長手方向の両端にＵ字状の第１脚受部１１，１２が形成され、脚配設溝９の底面１０の少なくとも両側部に第１脚受部１１，１２の最下端部１１ａ，１２ａより低い平坦なエアバッグ取付面１０ｂ，１０ｃが形成され、エアバッグ１３，１４の取付ヒンジ部１３ａ，１４ａが固定ボルト１５，１６でエアバッグ取付面１０ｂ，１０ｃに取り付けられている。【選択図】  図２
2005198944.tif 000002
【特許請求の範囲】
【請求項１】
左右の脚を配設する脚配設溝が並設された足載せ台本体と、前記脚配設溝の対向する内側面に沿って配設されたエアバッグと、前記エアバッグの取付ヒンジ部を前記脚配設溝の底面に固定する固定手段を備える脚マッサージ装置において、
前記脚配設溝の少なくとも長手方向の両端にＵ字状の第１脚受部が形成され、前記脚配設溝の底面の少なくとも両側部に前記第１脚受部の最下端部より低い平坦なエアバッグ取付面が形成され、前記エアバッグの取付ヒンジ部が前記固定手段で前記エアバッグ取付面に取り付けられていることを特徴とする脚マッサージ装置。
【請求項２】
前記第１脚受部の最下端部と同じ高さの第２脚受部を前記脚配設溝の長手方向両端の前記第１脚受部間に位置させて前記脚配設溝の底面に設けたことを特徴とする請求項１に記載の脚マッサージ装置。
【請求項３】
前記第２脚受部は前記第１脚受部に連設されていることを特徴とする請求項２に記載の脚マッサージ装置。
【請求項４】
前記第２脚受部は前記脚配設溝の長手方向の中間に設けられ且つ脚配設溝の対向面に連設されたＵ字状のリブであることを特徴とする請求項２に記載の脚マッサージ装置。
【請求項５】
前記脚配設溝の側面にエアバッグ配設用の凹部が形成され、前記凹部に前記エアバッグが配設されていることを特徴とする請求項１〜４に記載の脚マッサージ装置。
【発明の詳細な説明】
【技術分野】
【０００１】
この発明は、脚配設溝の内側面にエアバッグを沿わせた脚マッサージ装置に関するものである。
【背景技術】
【０００２】
従来の脚マッサージ装置としては、普通の椅子と組み合わせて用いられるタイプのものや、マッサージ椅子に取り付けられて使用されるもの等がある。
【０００３】
このマッサージ椅子に取り付けられる脚マッサージ装置としては、例えば、座部の前縁部に上下にスイング可能に足載せ台を取り付け、この足載せ台を駆動手段で上下にスイング駆動可能に設けると共に、足載せ台に左右の脚の脹ら脛をそれぞれ配設する脚配設溝を設け、この各脚配設溝の内側面にマッサージ用のエアバッグを配設した椅子式マッサージ装置が知られている（例えば、特許文献１参照）。
【特許文献１】特開２００１−２９３０５５号公報
【発明の開示】
【発明が解決しようとする課題】
【０００４】
しかしながら、上述した脚マッサージ装置では、脚配設溝がＵ字状に形成されていると共に、エアバッグのヒンジ部が脚配設溝の内側面にネジ又はクリップ等の固定手段で固定されていたため、エアバッグの取付が容易ではなかった。
【０００５】
また、脚配設溝の底面にエアバッグのヒンジ部をネジ又はクリップ等の固定手段で固定することも行われている。
【０００６】
しかし、この場合には、使用者の脹ら脛を脚配設溝内に配設したときに、脹ら脛が固定手段の頭部に当たって違和感を感じ、好ましいものではなかった。
【０００７】
そこで、この発明は、エアバッグを脚配設溝に取り付けやすく、脚配設溝に利用者の脹ら脛を配設したときに、脹ら脛に固定手段が当たることのない脚マッサージ装置を提供することを目的とするものである。
【課題を解決するための手段】
【０００８】
この目的を達成するため、請求項１の発明は、左右の脚を配設する脚配設溝が並設された足載せ台本体と、前記脚配設溝の対向する内側面に沿って配設されたエアバッグと、前記エアバッグの取付ヒンジ部を前記脚配設溝の底面に固定する固定手段を備える脚マッサージ装置において、前記脚配設溝の少なくとも長手方向の両端にＵ字状の第１脚受部が形成され、前記脚配設溝の底面の少なくとも両側部に前記第１脚受部の最下端部より低い平坦なエアバッグ取付面が形成され、前記エアバッグの取付ヒンジ部が前記固定手段で前記エアバッグ取付面に取り付けられていることを特徴とする。
【発明の効果】
【０００９】
この構成によれば、平坦なエアバッグ取付面が脚配設溝の底面の両側部に設けられているので、エアバッグを脚配設溝に固定手段で取り付ける際、エアバッグを容易に脚配設溝内に取り付けることができる。
【００１０】
しかも、利用者が脹ら脛のマッサージのために、脚配設溝に脹ら脛を配設したときに、脹ら脛が第１脚受部で支持されてエアバッグ取付面から浮いて、脹ら脛に固定手段が当たることがないので、違和感を感じることがない。
【発明を実施するための最良の形態】
【００１１】
以下、この発明の実施の形態を図面に基づいて説明する。
【００１２】
図１において、１は椅子式マッサージ装置（マッサージ椅子）の椅子本体、２は椅子本体の肘掛け２ａを有する脚部、３は脚部２に支持された座部、４は座部３の後縁部にリクライニング可能に装着された背凭れである。この座部３及び背凭れの人体当接面にはエアバッグ等のマッサージ手段（図示せず）が装着され、このマッサージ手段が表皮により覆われている。
【００１３】
また、座部３の前縁部側には脚マッサージ装置５が配設されている。この脚マッサージ装置５は、図２，図３に示したような足載せ台本体（脚載せ台本体）６を有する。この足載せ台本体６は、座部３の前縁部に上下動可能に取り付けられる。
【００１４】
この足載せ台本体６には、左右の側壁７，７と、側壁７，７間の中央に配設された仕切壁８が一体に形成されている。そして、壁７，８、間及び８，７間には利用者の左右の脚の下腿即ち脹ら脛Ｌａ，Ｌｂを配設する脚配設溝９，９が形成されている。
【００１５】
この各脚配設溝９の底面１０は、図３に示したように対向する壁７，８の内側面（内壁面）７ａ，８ａに垂直に連設されていると共に、平坦に形成されている。しかも、脚配設溝７の長手方向両端部にはＵ字状の第１脚受部１１，１２が形成されている。また、底面１０は第１脚受部１１，１２の最下端部１１ａ，１２ａより低く形成されている。また、この底面１０の両側部は平坦なエアバッグ取付面１０ｂ，１０ｃとなっている。
【００１６】
そして、脚配設溝９内には、内側面７ａ，８ａにそれぞれ沿わせたエアバッグ１３及び１４が配設されている。このエアバッグ１３，１４は弾性（バネ性）を有するヒンジ部１３ａ，１４ａを有する。
【００１７】
また、このヒンジ部１３ａ，１４ａは、折り曲げた状態で底面１０の両側部のエアバッグ取付面１０ｂ，１０ｃに固定手段としての固定ボルト１５，１６でそれぞれ固定されている。
【００１８】
尚、エアバッグ１３，１４は、ヒンジ部１３ａ，１４ａの弾性力により脚配設溝９の内側面７ａ，８ａに当接させられている。しかも、固定ボルト１５，１６の頭部１５ａ，１６ａの高さは、第１脚受部１１，１２の最下端部１１ａ，１２ａより低くなっている。
【００１９】
この様な図２，図３に示した足載せ台本体６及びエアバッグ１３，１４は、図１のカバー１７で覆われて、外からは見えないようになっている。尚、エアバッグ１３，１４は、図示を省略したエア給排気装置で膨張・収縮させられるようになっている。
【００２０】
次に、この様な構成のマッサージ装置の作用を説明する。
【００２１】
エアバッグ１３，１４のヒンジ部１３ａ，１４ａが比較的に硬めに形成されていても、底面１０の両側部のエアバッグ取付面１０ｂ，１０ｃが平坦であると共に、図３に示したように底面１０と内側面７ａ，８ａで形成される形状がＵ字状ではなくコ字状であるので、ヒンジ部１３ａ，１４ａを折り曲げた状態で底面１０の両側部のエアバッグ取付面１０ｂ，１０ｃに固定ボルト１５，１６で固定するのが容易である。
【００２２】
また、図３に示したように利用者が脹ら脛（下腿）Ｌａ，Ｌｂのマッサージのために、脚配設溝９，９に脹ら脛Ｌａ，Ｌｂを配設したときに、脹ら脛Ｌａ，Ｌｂの膝側の部分と足首側の部分が図２の第１脚受部１１，１２にそれぞれ支持されて、脹ら脛Ｌａ，Ｌｂが図３のごとく脚配設溝９，９の底面１０に当接することなく浮いた状態となる。
【００２３】
この結果、脹ら脛Ｌａ，Ｌｂが固定手段である固定ボルト１５，１６の頭部１５ａ，１６ａに当たることがないので、エアバッグ１３，１４の膨張・収縮により脹ら脛をマッサージする際に、違和感を感じることがない。
（変形例１）
図４は、図２，図３に示した足載せ台本体６の変形例を示したものである。
【００２４】
この図４において、脚配設溝９の長手方向の中間には第２脚受部としてのＵ字状のリブ１８が底面１０から突設されている。このリブ１８は、脚配設溝９の対向面である内側面７ａ，８ａに連設されて、側壁７及び仕切壁８を補強している。
【００２５】
しかも、Ｕ字状のリブ１８は、第１脚受部１１，１２と同形状且つ同じ大きさに形成されていると共に、同じ高さに形成されている。
【００２６】
この構成によれば、脚配設溝９に脹ら脛を配設したときに、脹ら脛の膝側の部分と足首側の部分が第１脚受部１１，１２にそれぞれ支持されると共に、脹ら脛の中間部がリブ１８に支持されるので、脹ら脛の中間部が下方にたれるようにふくらんでいても、脹ら脛の中間部が脚配設溝９の底面１０及びエアバッグ取付面１０ｂ，１０ｃに当接することなく浮いた状態となる。
【００２７】
この結果、脹ら脛の中間部も固定手段である固定ボルト１５，１６の頭部１５ａ，１６ａに当たることがないので、エアバッグ１３，１４の膨張・収縮により脹ら脛をマッサージする際に、違和感を感じることがない。
（変形例２）
図５，図６は、図２，図３に示した足載せ台本体６の他の変形例を示したものである。
【００２８】
この図５，図６において、脚配設溝９の底面１０は、幅方向の中央に形成した半円柱状又は半円筒状の突部（第２脚受部）１０ａと、突部１０ａの両側部に連設されたエアバッグ取付面１０ｂ，１０ｃを有する。
【００２９】
この突部１０ａの頂部１０ａ１は、長手方向両端が第１脚受部１１，１２に連設されていると共に、第１脚受部１１，１２の最下端部１１ａ，１２ａと同じ高さに形成されている。しかも、エアバッグ１３，１４のヒンジ部１３ａ，１４ａがエアバッグ取付面１０ｂ，１０ｃに固定ボルト１５，１６でそれぞれ固定されている。
【００３０】
この構成によれば、図６に示したように脚配設溝９，９に脹ら脛Ｌａ，Ｌｂを配設したときに、脹ら脛Ｌａ，Ｌｂの膝側の部分と足首側の部分が第１脚受部１１，１２にそれぞれ支持されると共に、脹ら脛Ｌａ，Ｌｂの中間部全体が突部１０ａに支持されるので、脹ら脛Ｌａ，Ｌｂの中間部全体が下方にたれるようにふくらんでいても、脹ら脛の中間部全体が底面１０のエアバッグ取付面１０ｂ，１０ｃに当接することなく浮いた状態となる。
【００３１】
この結果、脹ら脛の中間部全体も底面１０に設けたエアバッグ取付面１０ｂ，１０ｃの固定ボルト１５，１６の頭部１５ａ，１６ａに当たることがないので、図６のようなエアバッグ１３，１４の膨張（二点鎖線）・収縮（実線）により脹ら脛をマッサージする際に、違和感を感じることがない。
【００３２】
また、エアバッグ取付面１０ｂ，１０ｃが平坦であると共に、エアバッグ取付面１０ｂと内側面７ａ及びエアバッグ取付面１０ｃと内側面８ａがそれぞれ垂直であるので、エアバッグ１３，１４のヒンジ部１３ａ，１４ａをエアバッグ取付面１０ｂ，１０ｃに固定ボルト１５，１６でそれぞれ固定するのが容易である。
（変形例３）
図７は、図５，図６に示した足載せ台本体６の他の変形例を示したものである。
【００３３】
この図７において、脚配設溝９の底面１０は、幅方向の中央に形成した突部（第２脚受部）１０ｄと、突部１０ｄの両側部に連設されたエアバッグ取付面１０ｂ，１０ｃを有する。
【００３４】
この突部１０ｄの平坦な頂面１０ｄ１は、長手方向両端が第１脚受部１１，１２に連設されていると共に、第１脚受部１１，１２の最下端部１１ａ，１２ａと同じ高さに形成されている。しかも、エアバッグ１３，１４のヒンジ部１３ａ，１４ａがエアバッグ取付面１０ｂ，１０ｃに固定ボルト１５，１６でそれぞれ固定されている。
【００３５】
この構成によれば、脚配設溝９，９に脹ら脛Ｌａ，Ｌｂを配設したときに、脹ら脛Ｌａ，Ｌｂの膝側の部分と足首側の部分が第１脚受部１１，１２にそれぞれ支持されると共に、脹ら脛Ｌａ，Ｌｂの中間部全体が突部１０ｄの頂面１０ｄ１に安定して支持されるので、脹ら脛Ｌａ，Ｌｂの中間部全体が下方にたれるようにふくらんでいても、脹ら脛Ｌａ，Ｌｂの中間部全体が底面１０のエアバッグ取付面１０ｂ，１０ｃに当接することなく浮いた状態となる。
【００３６】
この結果、脹ら脛Ｌａ，Ｌｂの中間部全体も底面１０に設けたエアバッグ取付面１０ｂ，１０ｃの固定ボルト１５，１６の頭部１５ａ，１６ａに当たることがないので、エアバッグ１３，１４の膨張・収縮により脹ら脛Ｌａ，Ｌｂをマッサージする際に、違和感を感じることがない。
【００３７】
また、この変形例でも、エアバッグ取付面１０ｂ，１０ｃが平坦であると共に、エアバッグ取付面１０ｂと内側面７ａ及びエアバッグ取付面１０ｃと内側面８ａがそれぞれ垂直であるので、エアバッグ１３，１４のヒンジ部１３ａ，１４ａをエアバッグ取付面１０ｂ，１０ｃに固定ボルト１５，１６でそれぞれ固定するのが容易である。
【００３８】
尚、突部１０ｄの頂面１０ｄ１を平坦に形成しているが、必ずしもこれに限定されるものではない。例えば、頂面１０ｄ１を第１脚受部１１，１２に沿う形状に形成した凹面とすることもできる。
（変形例４）
また、以上説明した実施例では、エアバッグ１３，１４を脚配設溝９の平坦な内側面７ａ，８ａに当接させた状態としているが、必ずしもこれに限定されるものではない。
【００３９】
例えば、図１〜図３の構成に加えて、図８に示したように脚配設溝９に開口する凹部１９，２０を側壁７及び仕切壁８に形成して、この凹部１９，２０にエアバッグ１３，１４をそれぞれ配設して、エアバッグ１３，１４の収縮時にエアバッグ１３，１４の表面が内側面７ａ，８ａと略面一になるようにしても良い。
【００４０】
この変形例でも、図１〜図３の実施例と同様な作用・効果を有する。
【００４１】
また、エアバッグ１３，１４の収縮時にエアバッグ１３，１４の表面が内側面７ａ，８ａと略面一になっているので、脚配設溝９に脹ら脛を容易に配設できる。
以上説明したように、この発明の実施の形態の脚マッサージ装置は、図２〜図５，図８に示したように、左右の脚を配設する脚配設溝９，９が並設された足載せ台本体６と、前記脚配設溝９の対向する内側面７ａ，８ａに沿って配設されたエアバッグ１３，１４と、前記エアバッグ１３，１４の取付ヒンジ部１３ａ，１４ａを前記脚配設溝９の底面１０に固定する固定手段（固定ボルト１５，１６）を備えている。しかも、前記脚配設溝９の少なくとも長手方向の両端にＵ字状の第１脚受部１１，１２が形成され、前記脚配設溝９の底面１０の少なくとも両側部に前記第１脚受部１１，１２の最下端部１１ａ，１２ａより低い平坦なエアバッグ取付面（１０ｂ，１０ｃ）が形成され、前記エアバッグ１３，１４の取付ヒンジ部１３ａ，１４ａが前記固定手段（固定ボルト１５，１６）で前記エアバッグ取付面（１０ｂ，１０ｃ）に取り付けられている。
【００４２】
この構成によれば、平坦なエアバッグ取付面（１０ｂ，１０ｃ）が脚配設溝９の底面１０の両側部に設けられているので、エアバッグ１３，１４を脚配設溝９に固定手段（固定ボルト１５，１６）で取り付ける際、エアバッグ１３，１４を容易に脚配設溝９内に取り付けることができる。
【００４３】
しかも、図３に示したように利用者が脹ら脛Ｌａ，Ｌｂのマッサージのために、脚配設溝９に脹ら脛を配設したときに、脹ら脛Ｌａ，Ｌｂが第１脚受部１１，１２で支持されてエアバッグ取付面（１０ｂ，１０ｃ）から浮いて、脹ら脛Ｌａ，Ｌｂに固定手段（固定ボルト１５，１６）が当たることがないので、違和感を感じることがない。
【００４４】
また、この発明の実施の形態の脚マッサージ装置において、図４〜図７に示したように、前記第１脚受部１１，１２の最下端部１１ａ，１２ａと同じ高さの第２脚受部（突部１０ａ，１０ｄ、リブ１８）を前記脚配設溝９の長手方向両端の前記第１脚受部１１，１２間に位置させて前記脚配設溝９の底面１０に設けている。
【００４５】
この構成によれば、図６，図７のように脚配設溝９に脹ら脛Ｌａ，Ｌｂを配設したときに、脹ら脛Ｌａ，Ｌｂの膝側の部分と足首側の部分が第１脚受部１１，１２にそれぞれ支持されると共に、脹ら脛Ｌａ，Ｌｂの中間部が第２脚受部（突部１０ａ，１０ｄ、リブ１８）に支持されるので、脹ら脛Ｌａ，Ｌｂの中間部が下方にたれるようにふくらんでいても、脹ら脛Ｌａ，Ｌｂの中間部が脚配設溝９のエアバッグ取付面１０ｂ，１０ｃに当接することなく浮いた状態となる。
【００４６】
この結果、脹ら脛の中間部も固定手段（固定ボルト１５，１６）に当たることがないので、エアバッグ１３，１４の膨張・収縮により脹ら脛をマッサージする際に、違和感を感じることがない。
【００４７】
更に、この発明の実施の形態の脚マッサージ装置において、図５〜図７のように前記第２脚受部（突部１０ａ，１０ｄ）は前記第１脚受部１１，１２に連設されている。
【００４８】
この構成によれば、図６，図７のように脚配設溝９，９に脹ら脛Ｌａ，Ｌｂを配設したときに、脹ら脛Ｌａ，Ｌｂの膝側の部分と足首側の部分が第１脚受部１１，１２にそれぞれ支持されると共に、脹ら脛Ｌａ，Ｌｂの中間部全体が第２脚受部（突部１０ａ，１０ｄ）に安定して支持されるので、脹ら脛Ｌａ，Ｌｂの中間部全体が下方にたれるようにふくらんでいても、脹ら脛Ｌａ，Ｌｂの中間部全体が底面１０のエアバッグ取付面１０ｂ，１０ｃに当接することなく浮いた状態となる。
【００４９】
この結果、脹ら脛の中間部全体も底面１０に設けたエアバッグ取付面１０ｂ，１０ｃの固定ボルト１５，１６の頭部１５ａ，１６ａに当たることがないので、エアバッグ１３，１４の膨張・収縮により脹ら脛をマッサージする際に、違和感を感じることがない。
【００５０】
また、エアバッグ取付面１０ｂ，１０ｃが平坦であると共に、エアバッグ取付面１０ｂと内側面７ａ及びエアバッグ取付面１０ｃと内側面８ａがそれぞれ垂直であるので、エアバッグ１３，１４のヒンジ部１３ａ，１４ａをエアバッグ取付面１０ｂ，１０ｃに固定ボルト１５，１６でそれぞれ固定するのが容易である。
【００５１】
また、この発明の実施の形態の脚マッサージ装置において、図４に示したように前記第２脚受部は前記脚配設溝９の長手方向の中間に設けられ且つ脚配設溝９の対向面（内側面７ａ，８ａ）に連設されたＵ字状のリブ１８である。
【００５２】
この構成によれば、脚配設溝９に脹ら脛を配設したときに、脹ら脛の膝側の部分と足首側の部分が第１脚受部１１，１２にそれぞれ支持されると共に、脹ら脛の中間部がリブ１８に支持されるので、脹ら脛の中間部が下方にたれるようにふくらんでいても、脹ら脛の中間部が脚配設溝９の底面１０及びエアバッグ取付面１０ｂ，１０ｃに当接することなく浮いた状態となる。
【００５３】
この結果、脹ら脛の中間部も固定手段（固定ボルト１５，１６）に当たることがないので、エアバッグ１３，１４の膨張・収縮により脹ら脛をマッサージする際に、違和感を感じることがない。
【００５４】
また、この発明の実施の形態の脚マッサージ装置において、図８のように前記脚配設溝９の側面（内側面７ａ，８ａ）にエアバッグ配設用の凹部１９，２０が形成され、前記凹部１９，２０に前記エアバッグ１３，１４が配設されている。
【００５５】
この構成によれば、エアバッグ１３，１４の収縮時にエアバッグ１３，１４の表面が内側面７ａ，８ａと略面一になっているので、脚配設溝９に脹ら脛を容易に配設できる。
【００５６】
以上説明した実施例では、脚マッサージ装置５がマッサージ椅子の座部３に取り付けられている例を示したが、必ずしもこれに限定されるものではない。例えば、脚マッサージ装置５は単体で使用することもできる。
【図面の簡単な説明】
【００５７】
【図１】この発明に係る脚マッサージ装置を有する椅子式マッサージ装置の斜視図である。
【図２】図１に示した脚マッサージ装置のカバーを取り外しして示した斜視図である。
【図３】図２のＡ１−Ａ１線に沿う断面図である。
【図４】図２に示した脚マッサージ装置の変形例を示す斜視図である。
【図５】図２に示した脚マッサージ装置の他の変形例を示す斜視図である。
【図６】図５のＡ２−Ａ２線に沿う断面図である。
【図７】図５，図６に示した脚マッサージ装置の変形例を示す断面図である。
【図８】図２に示した脚マッサージ装置の変形例を示す斜視図である。
【符号の説明】
【００５８】
６…足載せ台本体
９…脚配設溝
７ａ，８ａ…内側面（側面、内壁面）
１０…底面
１０ａ…突部（第２脚受部）
１０ｂ，１０ｃ…エアバッグ取付面
１０ｄ…突部（第２脚受部）
１１，１２…第１脚受部
１１ａ，１２ａ…最下端部
１３，１４…エアバッグ
１３ａ，１４ａ…取付ヒンジ部
１５，１６…固定ボルト（固定手段）
１８…リブ（第２脚受部）
１９，２０…凹部
【図１】
2005198944.tif 000003
【図２】
2005198944.tif 000004
【図３】
2005198944.tif 000005
【図４】
2005198944.tif 000006
【図５】
2005198944.tif 000007
【図６】
2005198944.tif 000008
【図７】
2005198944.tif 000009
【図８】
2005198944.tif 000010